(57)【要約】利用者による意識的な操作をほとんど要求することなく、利用者の所在地や有無を示すプレゼンス情報を生成し、端末に通知する。  利用者が携帯する携帯装置と、予め定められた位置に設置される装置であって、個々の設置装置を識別するための識別子甲を記憶した記憶装置甲、携帯装置を検出する検出手段、及び、データ通信ネットワークを介してデータ通信を行う手段を備える設置装置と、設置装置を設置した位置を示す位置情報と、当該位置情報が示す位置に設置された設置装置の識別子甲との対応関係を記憶した第１の記憶装置と、データ通信ネットワークを介してデータ通信を行う手段を備えるサーバとを備えるプレゼンス情報通知システムを提供する。【特許請求の範囲】
【請求項１】
予め定められた位置における利用者の有無を示すプレゼンス情報を端末に通知するシステムにおいて、
利用者が携帯する携帯装置と、
予め定められた位置に設置される装置であって、個々の設置装置を識別するための識別子甲を記憶した記憶装置甲、携帯装置を検出する検出手段、及び、データ通信ネットワークを介してデータ通信を行う手段を備える設置装置と、
設置装置を設置した位置を示す位置情報と、当該位置情報が示す位置に設置された設置装置の識別子甲との第１の対応関係を記憶した第１の記憶装置と、データ通信ネットワークを介してデータ通信を行う手段を備えるサーバとを備え、
設置装置は、携帯装置の検出に応じて、データ通信ネットワークを介して当該設置装置の識別子甲をサーバに送信し、
サーバは、第１の対応関係を参照し、受信した識別子甲に対応する位置情報を取得して、端末に通知する
ことを特徴とするプレゼンス情報通知システム。
【請求項２】
請求項１に記載のプレゼンス情報通知システムにおいて、
携帯装置は、個々の携帯装置を識別するための識別子乙を記憶した記憶装置乙、及び、識別子乙を当該他の装置に対して出力する手段を備え、
設置装置は、検出手段による携帯装置の検出に応じて、携帯装置から出力された識別子乙を受ける手段を更に備えると共に、識別子甲及び乙の両方をサーバに送信し、
サーバは、受信した識別子甲に対応する位置情報と共に、識別子乙を端末に通知する
ことを特徴とするプレゼンス情報通知システム。
【請求項３】
予め定められた位置における利用者の有無を示すプレゼンス情報を端末に通知するシステムにおいて、
予め定められた位置に設置される装置であって、個々の設置装置を識別するための識別子甲を記憶した記憶装置甲、及び、識別子甲を当該他の装置に出力する手段を備える設置装置と、
利用者が携帯する装置であって、設置装置から識別子甲の出力を受ける手段、データ通信ネットワークを介してデータ通信を行う手段、及び、設置装置を検出する検出手段を備える携帯装置と、
設置装置を設置した位置を示す位置情報と、当該位置情報が示す位置に設置された設置装置の識別子甲との第１の対応関係を記憶した第１の記憶装置と、データ通信ネットワークを介してデータ通信を行う手段を備えるサーバとを備え、
設置装置の検出に応じて、携帯装置は、識別子甲を設置装置から受け取ると共に、データ通信ネットワークを介してサーバに送信し、
サーバは、第１の対応関係を参照し、受信した識別子甲に対応する位置情報を取得して、端末に通知する
ことを特徴とするプレゼンス情報通知システム。
【請求項４】
請求項３に記載のプレゼンス情報通知システムにおいて、
携帯装置は、個々の携帯装置を識別するための識別子乙を記憶した記憶装置乙を更に備えると共に、識別子甲及び乙の両方をサーバに送信し、
サーバは、受信した識別子甲に対応する位置情報と共に、識別子乙を端末に通知する
ことを特徴とするプレゼンス情報通知システム。
【請求項５】
請求項２に記載のプレゼンス情報通知システムにおいて、サーバは、
識別子乙と、当該識別子乙に予め関連付けられた利用者情報との第２の対応関係を記憶した第２の記憶装置を備え、
第２の記憶装置を参照して設置装置から受信した識別子乙に対応する利用者情報を取得し、
取得した利用者情報、及び、設置装置から受信した識別子甲に対応する位置情報を、端末に通知する
ことを特徴とするプレゼンス情報通知システム。
【請求項６】
請求項２に記載のプレゼンス情報通知システムにおいて、サーバは、
識別子乙と、当該識別子乙に予め関連付けられた利用者情報との第２の対応関係を記憶した第２の記憶装置を備え、
第２の記憶装置を参照して設置装置から受信した識別子乙に対応する利用者情報を取得し、
取得した利用者情報、及び、設置装置から受信した識別子甲に対応する位置情報を、端末に通知する
ことを特徴とするプレゼンス情報通知システム。
【請求項７】
請求項１に記載のプレゼンス情報通知システムにおいて、サーバは、識別子甲と、識別子甲に対応する設置装置周辺における利用者の状態を示す状態情報との対応関係を記憶した第３の記憶装置を備え、
第３の記憶装置を参照して設置装置から受信した識別子甲に対応する状態情報を取得し、
取得した状態情報、及び、設置装置から受信した識別子甲に対応する位置情報を、端末に通知する
ことを特徴とするプレゼンス情報通知システム。
【請求項８】
請求項３に記載のプレゼンス情報通知システムにおいて、サーバは、識別子甲と、識別子甲に対応する設置装置周辺における利用者の状態を示す状態情報との対応関係を記憶した第３の記憶装置を備え、
第３の記憶装置を参照して設置装置から受信した識別子甲に対応する状態情報を取得し、
取得した状態情報、及び、設置装置から受信した識別子甲に対応する位置情報を、端末に通知する
ことを特徴とするプレゼンス情報通知システム。
【請求項９】
請求項１に記載のプレゼンス情報通知システムにおいて、
携帯装置は、２次電池、及び、当該他の装置から２次電池を充電するための電力の供給を受ける受電手段を更に備え、
設置装置は、受電手段に電力を供給する送電手段を更に備える
ことを特徴とするプレゼンス情報通知システム。
【請求項１０】
請求項３に記載のプレゼンス情報通知システムにおいて、
携帯装置は、２次電池、及び、当該他の装置から２次電池を充電するための電力の供給を受ける受電手段を更に備え、
設置装置は、受電手段に電力を供給する送電手段を更に備える
ことを特徴とするプレゼンス情報通知システム。
【請求項１１】
請求項１に記載のプレゼンス情報通知システムにおいて、
設置装置は携帯装置を載置するための台座を更に備え、
検出手段は携帯装置が台座上の予め定められた位置に載置されたことを検出し、
検出手段による検出に応じて受電手段及び送電手段は２次電池を充電する
ことを特徴とするプレゼンス情報通知システム。
【請求項１２】
請求項３に記載のプレゼンス情報通知システムにおいて、
設置装置は携帯装置を載置するための台座を更に備え、
検出手段は携帯装置が台座上の予め定められた位置に載置されたことを検出し、
検出手段による検出に応じて受電手段及び送電手段は２次電池を充電する
ことを特徴とするプレゼンス情報通知システム。
【請求項１３】
請求項１に記載のプレゼンス情報通知システムにおいて、携帯装置は移動通信端末であることを特徴とするプレゼンス情報通知システム。
【請求項１４】
請求項３に記載のプレゼンス情報通知システムにおいて、携帯装置は移動通信端末であることを特徴とするプレゼンス情報通知システム。
【請求項１５】
予め定められた位置における利用者の有無を示すプレゼンス情報を端末に通知する方法において、
利用者が携帯する携帯装置、予め定められた位置に設置される設置装置、設置装置とデータ通信ネットワークを介して接続されたサーバ、及び、サーバとデータ通信ネットワークを介して接続され、プレゼンス情報をサーバから受信する端末を用いる方法であって、
設置装置の位置を示す位置情報と、個々の設置装置を識別するために設置装置の記憶装置に予め記憶された識別子甲との対応関係を、サーバに登録する段階１と、
設置装置が携帯装置を検出する段階２と、
携帯装置の検出に応じて、設置装置が識別子甲をサーバに送信する段階３と、
登録された対応関係に基づいて、設置装置から受信した識別子甲に対応する位置情報をサーバが取得する段階４と、
取得した位置情報をサーバから端末に送信する段階５と
を含むことを特徴とするプレゼンス情報通知方法。
【請求項１６】
請求項１５に記載のプレゼンス情報通知方法において、
携帯装置は、個々の携帯装置を識別するための識別子乙を記憶した記憶装置乙、及び、識別子乙を当該他の装置に対して出力する手段を備え、
段階３に先立って、携帯装置の検出に応じて、設置装置が携帯装置から識別子乙の出力を受ける段階を更に含み、
段階３にて、設置装置は識別子甲と共に識別子乙をサーバに送信し、
段階５にて、サーバは位置情報と共に識別子乙を端末に通知する
ことを特徴とするプレゼンス情報通知方法。
【請求項１７】
予め定められた位置における利用者の有無を示すプレゼンス情報を端末に通知する方法において、
利用者が携帯する携帯装置、予め定められた位置に設置される装置であって、個々の装置を識別するために予め定められた識別子甲を当該他の装置に出力する手段を備える設置装置、設置装置とデータ通信ネットワークを介して接続されたサーバ、及び、サーバとデータ通信ネットワークを介して接続され、プレゼンス情報をサーバから受信する端末を用いる方法であって、
設置装置の位置を示す位置情報と、個々の設置装置を識別するために設置装置の記憶装置に予め記憶された識別子甲との対応関係を、サーバに登録する段階１と、
携帯装置が設置装置を検出する段階２と、
設置装置の検出に応じて、携帯装置が設置装置から識別子甲の出力を受けると共に、当該識別子甲を携帯装置からサーバに送信する段階３と、
登録された対応関係に基づいて、携帯装置から受信した識別子甲に対応する位置情報をサーバが取得する段階４と、
取得した位置情報をサーバから端末に送信する段階５と
を含むことを特徴とするプレゼンス情報通知方法。
【請求項１８】
請求項１７に記載のプレゼンス情報通知方法において、
携帯装置は、個々の携帯装置を識別するための識別子乙を記憶した記憶装置乙を更に備え、
段階３にて、携帯装置は識別子甲と共に識別子乙をサーバに送信し、
段階５にて、サーバは位置情報と共に識別子乙を端末に通知する
ことを特徴とするプレゼンス情報通知方法。
【請求項１９】
請求項１６に記載のプレゼンス情報通知方法において、
段階１にて、識別子乙と、当該識別子乙に予め関連付けられた利用者情報との対応関係をサーバに更に登録し、
段階４にて、登録された対応関係に基づいて識別子乙に対応する利用者情報をサーバが取得し、
段階５にて、位置情報と共に利用者情報をサーバから端末に通知する
ことを特徴とするプレゼンス情報通知方法。
【請求項２０】
請求項１８に記載のプレゼンス情報通知方法において、
段階１にて、識別子乙と、当該識別子乙に予め関連付けられた利用者情報との対応関係をサーバに更に登録し、
段階４にて、登録された対応関係に基づいて識別子乙に対応する利用者情報をサーバが取得し、
段階５にて、位置情報と共に利用者情報をサーバから端末に通知する
ことを特徴とするプレゼンス情報通知方法。
【請求項２１】
請求項１５に記載のプレゼンス情報通知方法において、
段階１にて、識別子甲と、識別子甲に予め関連付けられた設置装置周辺における利用者の状態を示す状態情報との対応関係をサーバに更に登録し、
段階４にて、登録された対応関係に基づいて識別子甲に対応する状態情報をサーバが取得し、
段階５にて、位置情報と共に状態情報をサーバから端末に通知する
ことを特徴とするプレゼンス情報通知方法。
【請求項２２】
請求項１７に記載のプレゼンス情報通知方法において、
段階１にて、識別子甲と、識別子甲に予め関連付けられた設置装置周辺における利用者の状態を示す状態情報との対応関係をサーバに更に登録し、
段階４にて、登録された対応関係に基づいて識別子甲に対応する状態情報をサーバが取得し、
段階５にて、位置情報と共に状態情報をサーバから端末に通知する
ことを特徴とするプレゼンス情報通知方法。
【請求項２３】
請求項１５に記載のプレゼンス情報通知方法において、
携帯装置は、２次電池、及び、当該他の装置から２次電池を充電するための電力の供給を受ける受電手段を備え、
設置装置は、受電手段に電力を供給する送電手段を備え、
段階２での検出に応じて、受電手段及び送電手段は２次電池の充電を開始する
ことを特徴とするプレゼンス情報通知方法。
【請求項２４】
請求項１７に記載のプレゼンス情報通知方法において、
携帯装置は、２次電池、及び、当該他の装置から２次電池を充電するための電力の供給を受ける受電手段を備え、
設置装置は、受電手段に電力を供給する送電手段を備え、
段階２での検出に応じて、受電手段及び送電手段は２次電池の充電を開始する
ことを特徴とするプレゼンス情報通知方法。
【請求項２５】
請求項１５に記載のプレゼンス情報通知方法において、携帯装置は移動通信端末であることを特徴とするプレゼンス情報通知方法。
【請求項２６】
請求項１７に記載のプレゼンス情報通知方法において、携帯装置は移動通信端末であることを特徴とするプレゼンス情報通知方法。
【請求項２７】
予め定められた位置における利用者の有無を示すプレゼンス情報を、データ通信ネットワークを介して端末に通知する処理をコンピュータに実行させるコンピュータプログラムにおいて、
利用者が携帯する携帯装置と、
予め定められた位置に設置される装置であって、個々の設置装置を識別するための識別子甲を記憶した記憶装置甲、携帯装置を検出する検出手段、及び、データ通信ネットワークを介してデータ通信を行う手段を備える設置装置と連携した処理をコンピュータに実行させるプログラムであって、
携帯装置の検出に応じて設置装置がデータ通信ネットワークを介して送信した識別子甲を受信する処理１と、
設置装置を設置した位置を示す位置情報と、当該位置情報が示す位置に設置された設置装置の識別子甲との対応関係を記憶した第１の記憶装置から、受信した識別子甲に対応する位置情報を取得する処理２と、
取得した位置情報をデータ通信ネットワークを介して端末に送信する処理３と
をコンピュータに実行させることを特徴とするコンピュータプログラム。
【請求項２８】
請求項２７に記載のコンピュータプログラムにおいて、
携帯装置は、個々の携帯装置を識別するための識別子乙を記憶した記憶装置乙、及び、識別子乙を当該他の装置に対して出力する手段を備え、
設置装置は、検出手段による携帯装置の検出に応じて、携帯装置から出力された識別子乙を受ける手段を更に備えると共に、識別子甲及び乙の両方をサーバに送信するものであって、
処理１は設置装置から識別子甲と共に識別子乙を受信し、
処理３は位置情報と共に識別子乙を端末に送信する
処理をコンピュータに実行させることを特徴とするコンピュータプログラム。
【請求項２９】
予め定められた位置における利用者の有無を示すプレゼンス情報を、データ通信ネットワークを介して端末に通知する処理をコンピュータに実行させるコンピュータプログラムにおいて、
予め定められた位置に設置される装置であって、個々の設置装置を識別するための識別子甲を記憶した記憶装置甲、及び、識別子甲を当該他の装置に出力する手段を備える設置装置と、
利用者が携帯する装置であって、設置装置から識別子甲の出力を受ける手段、データ通信ネットワークを介してデータ通信を行う手段、及び、設置装置を検出する検出手段を備える携帯装置と連携した処理をコンピュータに実行させるプログラムであって、
設置装置、携帯装置及びデータ通信ネットワークを経由して送信された識別子甲を受信する処理１と、
設置装置を設置した位置を示す位置情報と、当該位置情報が示す位置に設置された設置装置の識別子甲との対応関係を記憶した第１の記憶装置から、受信した識別子甲に対応する位置情報を取得する処理２と、
取得した位置情報をデータ通信ネットワークを介して端末に送信する処理３とをコンピュータに実行させる
ことを特徴とするコンピュータプログラム。
【請求項３０】
請求項２９に記載のコンピュータプログラムにおいて、
携帯装置は、個々の携帯装置を識別するための識別子乙を記憶した記憶装置乙を更に備えると共に、識別子甲及び乙の両方をサーバに送信するものであって、
処理１は携帯装置から識別子甲と共に識別子乙を受信し、
処理３は位置情報と共に識別子乙を端末に送信する
処理をコンピュータに実行させることを特徴とするコンピュータプログラム。
【請求項３１】
請求項２８に記載のコンピュータプログラムにおいて、
処理２は、識別子乙と、当該識別子乙に予め関連付けられた利用者情報との対応関係を記憶した第２の記憶装置から、処理１にて受信した識別子乙に対応する利用者情報を取得し、
処理３は位置情報及び利用者情報を端末に送信する
処理をコンピュータに実行させることを特徴とするコンピュータプログラム。
【請求項３２】
請求項３０に記載のコンピュータプログラムにおいて、
処理２は、識別子乙と、当該識別子乙に予め関連付けられた利用者情報との対応関係を記憶した第２の記憶装置から、処理１にて受信した識別子乙に対応する利用者情報を取得し、
処理３は位置情報及び利用者情報を端末に送信する
処理をコンピュータに実行させることを特徴とするコンピュータプログラム。
【請求項３３】
請求項２７に記載のコンピュータプログラムにおいて、
処理２は、識別子甲と、識別子甲に予め関連付けられた設置装置周辺における利用者の状態を示す状態情報との対応関係を記憶した第２の記憶装置から、処理１にて受信した識別子甲に対応する状態情報を取得し、
処理３は位置情報及び状態情報を端末に送信する
処理をコンピュータに実行させることを特徴とするコンピュータプログラム。
【請求項３４】
請求項２９に記載のコンピュータプログラムにおいて、
処理２は、識別子甲と、識別子甲に予め関連付けられた設置装置周辺における利用者の状態を示す状態情報との対応関係を記憶した第２の記憶装置から、処理１にて受信した識別子甲に対応する状態情報を取得し、
処理３は位置情報及び状態情報を端末に送信する
処理をコンピュータに実行させることを特徴とするコンピュータプログラム。
【請求項３５】
利用者が携帯して用いる装置であって２次電池を備える携帯装置と、２次電池を充電する電力を携帯装置に供給する充電装置からなるシステムにおいて、
充電装置は、予め定められた位置に設置される装置であって、個々の設置装置を識別するための識別子甲を記憶した記憶装置甲、携帯装置から出力された識別子乙を受ける手段、及び、データ通信ネットワークを介して通信する通信手段を更に備え、
携帯装置は個々の携帯装置を識別するための識別子乙を記憶した記憶装置乙、及び、充電装置に識別子乙を出力する手段を更に備え、
充電装置は、携帯装置に電力を供給すると共に、携帯装置から識別子乙を受けて、識別子甲及び乙をデータ通信ネットワーク上の予め定められた宛先に送信する
ことを特徴とする携帯装置充電システム。
【請求項３６】
利用者が携帯して用いる装置であって２次電池を備える携帯装置と、２次電池を充電する電力を携帯装置に供給する充電装置からなるシステムにおいて、
充電装置は、予め定められた位置に設置される装置であって、個々の設置装置を識別するための識別子甲を記憶した記憶装置甲、及び、携帯装置に識別子乙を出力する手段を更に備え、
携帯装置は、個々の携帯装置を識別するための識別子乙を記憶した記憶装置乙、充電装置から識別子甲を受ける手段、及び、データ通信ネットワークを介して通信する通信手段を更に備え、
携帯装置は、充電装置から電力の供給を受けると共に、充電装置から識別子甲を受けて、識別子甲及び乙をデータ通信ネットワーク上の予め定められた宛先に送信する
ことを特徴とする携帯装置充電システム。
【請求項３７】
請求項３５に記載の携帯装置充電システムにおいて、
充電装置は携帯装置を載置するための台座を更に備え、
携帯装置が台座上の所定の位置に載置された状態で、充電装置は、充電のための電力供給を開始すると共に携帯装置から識別子乙を受ける
ことを特徴とする携帯装置充電システム。
【請求項３８】
請求項３６に記載の携帯装置充電システムにおいて、
充電装置は携帯装置を載置するための台座を更に備え、
携帯装置が台座上の所定の位置に載置された状態で、充電装置は、充電のための電力供給を開始し、携帯装置は充電装置から識別子甲を受ける
ことを特徴とする携帯装置充電システム。
【請求項３９】
請求項３５に記載の携帯装置充電システムにおいて、携帯装置は移動通信端末であることを特徴とする携帯装置充電システム。
【請求項４０】
請求項３６に記載の携帯装置充電システムにおいて、携帯装置は移動通信端末であることを特徴とする携帯装置充電システム。
【請求項４１】
利用者が携帯して用いる装置であって２次電池を備える携帯装置に対して、２次電池を充電する電力を携帯装置に供給する充電装置において、
予め定められた位置に設置される装置であって、個々の設置装置を識別するための識別子甲を記憶した記憶装置甲、及び、データ通信ネットワークを介して通信する通信手段を備え、
携帯装置に電力を供給すると共に、識別子甲をデータ通信ネットワーク上の予め定められた宛先に送信する
ことを特徴とする充電装置。
【請求項４２】
請求項４１に記載の充電装置において、
個々の携帯装置を識別するための識別子乙を記憶した記憶装置乙、及び、充電装置に識別子乙を出力する手段を備える携帯装置と共に用いられ、
携帯装置から識別子乙を受ける手段を更に備え、
携帯装置に電力を供給すると共に、識別子甲及び乙をデータ通信ネットワーク上の予め定められた宛先に送信する
ことを特徴とする充電装置。
【請求項４３】
請求項４１に記載の充電装置において、
充電装置は携帯装置を載置するための台座を更に備え、
携帯装置が台座上の所定の位置に載置された状態で、携帯装置に対して充電電力を供給すると共に、携帯装置から識別子乙を受ける
ことを特徴とする充電装置。
【請求項４４】
請求項４１に記載の充電装置において、携帯装置は移動通信端末であることを特徴とする充電装置。
【請求項４５】
利用者が携帯して用いる携帯装置において、
個々の設置装置を識別するための識別子甲を記憶する記憶装置甲と、識別子甲を出力する手段を備える設置装置から識別子甲を受ける手段と、
データ通信ネットワークを介して通信を行う手段と、
設置装置を検出する検出手段とを備え、
設置装置の検出に応じて、当該設置装置から識別子甲を受けて、データ通信ネットワーク上の予め定められた宛先に送信する
ことを特徴とする携帯装置。
【請求項４６】
請求項４５に記載の携帯装置において、
駆動電源として２次電池を更に備え、
設置装置は２次電池を充電する電力を携帯装置に供給する充電装置であって、
検出手段は充電電力の供給に応じて設置装置を検出する
ことを特徴とする携帯装置。
【請求項４７】
請求項４５に記載の携帯装置において、移動通信端末であることを特徴とする携帯装置。
【請求項４８】
予め定められた位置における利用者の有無を示すプレゼンス情報を端末に通知するシステムにおいて、
無線データ通信を行う第１の無線データ通信手段、データ通信ネットワークを介してデータ通信を行うデータ通信手段、個々の設置装置を識別するための識別子甲を記憶した記憶装置甲を備える設置装置と、
予め定められた位置に設置装置と関連付けて設置されるトリガー装置と、
トリガー装置を検出する検出手段、及び、第１の無線データ通信手段と無線データ通信を行う第２の無線データ通信手段を備える携帯装置と、
トリガー装置を設置した位置を示す位置情報と、当該位置情報が示す位置に設置されたトリガー装置に関連付けられた設置装置の識別子甲との第１の対応関係を記憶した第１の記憶装置と、データ通信ネットワークを介してデータ通信を行う手段を備えるサーバとを備え、
携帯装置は、トリガー装置の検出無線データ通信により設置装置に送信し、
トリガー装置の検出を通知された設置装置は、データ通信ネットワークを介して当該設置装置の識別子甲をサーバに送信し、
サーバは、第１の対応関係を参照し、受信した識別子甲に対応する位置情報を取得して、端末に通知する
ことを特徴とするプレゼンス情報通知システム。
【請求項４９】
予め定められた位置における利用者の有無を示すプレゼンス情報を端末に通知する方法において、
利用者が携帯する携帯装置、設置装置、予め定められた位置に設置装置と関連付けて設置されるトリガー装置、設置装置とデータ通信ネットワークを介して接続されたサーバ、及び、サーバとデータ通信ネットワークを介して接続され、プレゼンス情報をサーバから受信する端末を用いる方法であって、
トリガー装置の位置を示す位置情報と、個々の設置装置を識別するために設置装置の記憶装置に予め記憶された識別子甲との対応関係を、サーバに登録する段階１と、
携帯装置がトリガー装置を検出する段階２と、
トリガー装置の検出を携帯装置から設置装置に通知する段階３と、
トリガー装置の検出の通知に応じて、設置装置が識別子甲をサーバに送信する段階４と、
登録された対応関係に基づいて、設置装置から受信した識別子甲に対応する位置情報をサーバが取得する段階５と、
取得した位置情報をサーバから端末に送信する段階６と
を含むことを特徴とするプレゼンス情報通知方法。
【請求項５０】
予め定められた位置における利用者の有無を示すプレゼンス情報を、データ通信ネットワークを介して端末に通知する処理をコンピュータに実行させるコンピュータプログラムにおいて、
設置装置、予め定められた位置に設置装置と関連付けて設置されるトリガー装置、利用者が携帯する装置であって、トリガー装置の検出を設置装置に通知する携帯装置、及び、サーバとデータ通信ネットワークを介して接続され、プレゼンス情報をサーバから受信する端末と連携した処理を、設置装置とデータ通信ネットワークを介して接続されたコンピュータに実行させるプログラムであって、
トリガー装置の位置を示す位置情報と、個々の設置装置を識別するために設置装置の記憶装置に予め記憶された識別子甲との対応関係を、サーバに登録する処理と、
携帯装置からのトリガー装置の検出通知に応じて、設置装置が送信した識別子甲を受信する処理と、
登録された対応関係に基づいて、設置装置から受信した識別子甲に対応する位置情報を取得する処理と、
取得した位置情報をデータ通信ネットワークを介して端末に送信する処理とをコンピュータに実行させることを特徴とするコンピュータプログラム。
【発明の詳細な説明】
【技術分野】  本発明は、所定の位置における利用者の有無に関する情報、その利用者に関する情報、その利用者の状態に関する情報といった、利用者のプレゼンスに関する情報を生成し、必要に応じて所定の端末にメッセージを通知する技術に関する。以下、これらの情報を総称してプレゼンス情報と呼ぶ。また、プレゼンス情報のうち、例えば氏名、所属部署、住所等、特定の利用者に関する情報を利用者情報と呼び、利用者の状態に関する情報を状態情報と呼ぶ。
【背景技術】  インターネット等に代表されるデータ通信ネットワークを介して、プレゼンス情報を所定の他の利用者に通知する技術が存在する。
代表的な技術として、パーソナルコンピュータ上で実行されるインスタントメッセンジャーがある。インスタントメッセンジャーでは、パーソナルコンピュータの利用者による操作に応じて、或いは所定の設定に従って、「在席中」「退席中」といったプレゼント情報が生成され、他利用者のインスタントメッセンジャーに通知される。このときの操作は例えば、利用者自身によるキーボードやマウス等の入力装置を使って行う一連の操作である。このときの設定は例えば利用者が入力装置による入力操作を最後に行ってからの経過時間の長さである。最後の入力操作からの経過時間をタイマーにて計測し、経過時間が設定時間を越えると、インスタントメッセンジャーは所定のメッセージを他利用者に対して通知する。
他の従来技術として、携帯電話に代表される移動通信端末を利用したＰｏＣ（Ｐｕｓｈ−ｔｏ−Ｔａｌｋ  ｏｖｅｒ  Ｃｅｌｌｕｌａｒ）サービスがある。ＰｏＣサービスでは、「暇」「会議中」等の利用者の状態を示すプレゼンス情報を他の利用者に通知する。その際、利用者は移動通信端末に対して所定のボタン操作を行うことにより、他利用者に通知するプレゼンス情報の内容を更新する。
また、他の例が特開２００４−２３３７４号公報に記載されている。特開２００４−２３３７４号公報に記載の技術によれば、「操作中」、「通話中」、「取込み中」、「待機中」といったプレゼンス情報を更新する際、折りたたみの開閉、フリップの開閉、アンテナの引き出し、ボタン操作などの携帯端末の動作をトリガーとする。
【発明の開示】
【発明が解決しようとする課題】  これらの従来技術では、いずれも、利用者が自身の所在を他利用者に向けて表明する場合、その利用者は、所定の一連の操作を意図的に実行する必要があった。例えばインスタントメッセンジャーやＰｏＣでは、利用者は所定の操作を入力装置にて行ってプレゼンス情報を更新する必要があるが、この種の操作はコンピュータに不慣れな者にとっては必ずしも容易ではないことが多い。
また、プレゼンス情報を生成しないことによるデメリットや、生成することによるメリットは、利用者本人にとっては必ずしもはっきりしたものではないので、操作することを忘れてしまったり、操作方法を忘れてしまったり、単に面倒だから操作をしないといったことが起きやすい。
特開２００４−２３３７４号公報に記載の技術については、移動通信端末の折り畳み動作やアンテナの引き伸ばし動作といった、誰にでもわかりやすい操作をトリガーとしているため、この点についての問題は小さいものの、プレゼンス情報を更新するためだけに実行しなければならない操作がある点では同様であり、操作することを失念してしまうケースがある。
更に、これらの従来技術ではプレゼンス情報を生成する利用者の現在位置については考慮されていなかった。
このため、特定の利用者のプレゼンス情報は入手できても、その利用者がどこにいるのかは、利用者自身による申告がなければ不明だった。例えばインスタントメッセージでは、ある利用者がインスタントメッセージを利用可能なコンピュータの前にいることはわかるが、その利用者が自宅から利用しているのか、職場から利用しているのか、或いは職場内の自分の席から利用しているのか、他の同僚の席から利用しているのかは不明だった。
同様に、位置情報を参照していないため、特に移動通信端末を利用者端末とする場合、特定の場所にいる不特定の者全員に対して一斉に呼び出しやメッセージを送ることができなかった。具体的には、携帯電話を所持する利用者のうち、特定のフロアに現在いる者や、特定の部屋にいる者を対象として一斉呼び出しをしたり、メッセージを一斉配信したりすることができなかった。
尚、複数の利用者をひとつのグループに属するものとして予め設定し、そのグループを宛先としてメッセージを通知すると、そのグループに属する全ての利用者に対してプレゼンス情報を通知する技術は従来から知られているが、この種の技術では利用者または利用者端末の現在位置を全く考慮しない。このため、ある部屋にいる者を全て呼び出すために、その部屋を利用しているグループを対象として呼び出しを行ったとしても、その部屋にいるものの、そのグループに属さない者の利用者端末を呼び出すことはできない。また、そのグループに属していても、現在その部屋にいない者は呼び出す必要がないが、このような呼び出しを行うと呼び出しの対象となってしまう。
また、更に、プレゼンス情報のうち、利用者の状態に関する状態情報については、利用者が意識的に操作して更新するものであり、他利用者やシステム管理者が予め設定することはできなかった。このため、例えば利用者が会議室や実験室にいる等のように、所在地に応じて利用者が何をしているのか明らかな場合であっても、利用者は明示的にプレゼンス情報を更新する必要があった。
このような状況に鑑みて本発明が解決しようとする課題は次の通りである。
第１の課題は、利用者による意識的な操作をほとんど要求することなく、プレゼンス情報を生成する技術を提供することである。これにより、利用者の設定方法や操作方法の忘却、操作することの失念・怠りを防止することができる。
第２の課題は、プレゼンス情報を他端末に通知するための新たな機能を追加して実装することなく、現に利用されている携帯電話端末等をそのまま利用して、他の端末にプレゼンス情報を通知することができる技術を提供することである。
第３の課題は、所在地に応じて適切な状態情報を含むプレゼンス情報が他端末に通知される技術を提供することである。
【課題を解決するための手段】  上述の課題を解決するため、本発明は次のような技術を提供する。
本発明は、予め定められた位置における利用者の有無を示すプレゼンス情報を端末に通知するシステムにおいて、利用者が携帯する携帯装置と、予め定められた位置に設置される装置であって、個々の設置装置を識別するための識別子甲を記憶した記憶装置甲、携帯装置を検出する検出手段、及び、データ通信ネットワークを介してデータ通信を行う手段を備える設置装置と、設置装置を設置した位置を示す位置情報と、当該位置情報が示す位置に設置された設置装置の識別子甲との対応関係を記憶した第１の記憶装置と、データ通信ネットワークを介してデータ通信を行う手段を備えるサーバとを備えるプレゼンス情報通知システムを提供する。本システムでは、設置装置は、携帯装置の検出に応じて、データ通信ネットワークを介して当該設置装置の識別子甲をサーバに送信し、サーバは、第１の記憶装置を参照し、受信した識別子甲に対応する位置情報を取得して、端末に通知する。これにより、その際に利用者に対して特段の操作を要求することなく、携帯装置を検出した設置装置の付近における、携帯装置の利用者の存在を確認することができる。携帯装置の検出は、例えば設置装置が携帯装置の充電装置であるなら、充電用の接触端子同士の接触を検出することによって行うことが考えられる。また、設置装置一携帯装置間における無線通信により実現してもよい。
このシステムにおいて、携帯装置は、個々の携帯装置を識別するための識別子乙を記憶した記憶装置乙、及び、識別子乙を当該他の装置に対して出力する手段を備えると共に、設置装置は、検出手段による携帯装置の検出に応じて、携帯装置から出力された識別子乙を受ける手段を更に備えることとしてもよい。このとき、識別子甲及び乙の両方をサーバに送信し、サーバは、受信した識別子甲に対応する位置情報と共に、識別子乙を端末に通知することとすれば、単に設置装置付近に誰かがいることを通知するだけではなく、その者が携帯している携帯装置の識別子乙を、端末に通知することができる。携帯装置の識別子乙を出力する手段、及び、設置装置の識別子乙を受ける手段により、携帯装置から設置装置に識別子乙を伝送するが、これら手段は互いに接触して回路を形成して電気信号として伝送することとしてもよいし、各種の無線通信技術を適用してもよい。ここで適用する無線通信技術としては、例えば、Ｂｌｕｅｔｏｏｔｈ、ＨｏｍｅＲＦ（Ｈｏｍｅ  Ｒａｄｉｏ  Ｆｒｅｑｕｅｎｃｙ）、ＩｒＤＡ（Ｉｎｆｒａｒｅｄ  Ｄａｔａ  Ａｓｓｏｃｉａｔｉｏｎ）、ＲＦ−ＩＤ、ＩＥＥＥ８０２．１１に規定される無線ＬＡＮなどがある。また、ＵＷＢ（Ｕｌｔｒａ  Ｗｉｄｅ  Ｂａｎｄ）、ＰＨＳ（Ｐｅｒｓｏｎａｌ  Ｈａｎｄｙｐｈｏｎｅ  Ｓｙｓｔｅｍ）、ＰＤＣ（Ｐｅｒｓｏｎａｌ  Ｄｉｇｉｔａｌ  Ｃｅｌｌｕｌａｒ）、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＣＤＭＡ（Ｃｏｄｅ  Ｄｉｖｉｓｉｏｎ  Ｍｕｌｔｉｐｌｅ  Ａｃｃｅｓｓ）、Ｗ−ＣＤＭＡ（Ｗｉｄｅｂａｎｄ  ＣＤＭＡ）、ＣＤＭＡ２０００、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）といった無線通信技術でもよい。
また、予め定められた位置における利用者の有無を示すプレゼンス情報を端末に通知するシステムにおいて、予め定められた位置に設置される装置であって、個々の設置装置を識別するための識別子甲を記憶した記憶装置甲、及び、識別子甲を当該他の装置に出力する手段を備える設置装置と、利用者が携帯する装置であって、設置装置から識別子甲の出力を受ける手段、データ通信ネットワークを介してデータ通信を行う手段、及び、設置装置を検出する検出手段を備える携帯装置と、設置装置を設置した位置を示す位置情報と、当該位置情報が示す位置に設置された設置装置の識別子甲との第１の対応関係を記憶した第１の記憶装置と、データ通信ネットワークを介してデータ通信を行う手段を備えるサーバとを備え、設置装置の検出に応じて、携帯装置は、識別子甲を設置装置から受け取ると共に、データ通信ネットワークを介してサーバに送信し、サーバは、第１の対応関係を参照し、受信した識別子甲に対応する位置情報を取得して、端末に通知することを特徴とするプレゼンス情報通知システムを本発明は提供する。この場合も、利用者に対して特段の操作を要求することなく、携帯装置を検出した設置装置の付近における、携帯装置の利用者の存在を確認することができる。設置装置の識別子甲を出力する手段、及び、携帯装置の識別子甲の出力を受ける手段により、設置装置から携帯装置に識別子甲を伝送するが、これら手段は互いに接触して回路を形成して電気信号として伝送することとしてもよいし、ＢｌｕｅｔｏｏｔｈやＨｏｍｅＲＦのような無線通信技術を適用してもよい。
このシステムにおいて、携帯装置は、個々の携帯装置を識別するための識別子乙を記憶した記憶装置乙を更に備えると共に、識別子甲及び乙の両方をサーバに送信し、サーバは、受信した識別子甲に対応する位置情報と共に、識別子乙を端末に通知することとしてもよい。こうすれば、単に設置装置付近に誰かがいることを通知するだけではなく、その者が携帯している携帯装置の識別子乙を、端末に通知することができる。
識別子乙を用いる場合は、サーバは、識別子乙と、当該識別子乙に予め関連付けられた利用者情報との第２の対応関係を記憶した第２の記憶装置を備え、第２の記憶装置を参照して設置装置から受信した識別子乙に対応する利用者情報を取得し、取得した利用者情報、及び、設置装置から受信した識別子甲に対応する位置情報を、端末に通知することとしてもよい。こうすれば、携帯装置の識別子乙と共に、或いは、その代わりに、その携帯装置の利用者として予め第２の記憶装置に登録された利用者の氏名や所属部署等の利用者情報を端末に通知することが可能となる。
サーバは、識別子甲と、識別子甲に対応する設置装置周辺における利用者の状態を示す状態情報との対応関係を記憶した第３の記憶装置を更に備えることとしてもよい。このとき、サーバが、第３の記憶装置を参照して設置装置から受信した識別子甲に対応する状態情報を取得し、次に、取得した状態情報、及び、設置装置から受信した識別子甲に対応する位置情報を端末に通知することとすれば、設置装置の設置位置の性格等によって、その付近にいる利用者の状態情報が必然的に決定するような場合、利用者が携帯装置を操作しなくても所定の状態情報を自動的に発信することができる。例えば、会議室や実験室における利用者の状態は、ほとんど会議中や実験中であると考えられる。つまり、このようにすれば、場所ごとのデフォルトの状態情報を設定することができる。
携帯装置は、蓄電装置、及び、当該他の装置から蓄電装置を充電するための電力の供給を受ける受電手段を更に備え、設置装置は、受電手段に電力を供給する送電手段を更に備える、言い換えれば、携帯装置の充電装置であると望ましい。現在、蓄電装置により駆動される携帯装置には様々なものがあり、これらの装置を既に利用している者は、携帯装置を充電装置に充電させる習慣が既に身についていると期待される。このため、利用者が特に意識しなくてもプレゼンス情報が端末に通知されることになる。ここでいう蓄電装置は、電気的エネルギーを化学的エネルギーに変換して蓄える２次電池であってもよいし、キャパシタ装置のように化学反応を伴わない装置であってもよい。受電手段及び送電手段は、例えば接触により通電する金属端子を互いに備えることとしてもよいし、或いは、非接触充電（インダクティブ充電）を用いて、外部から非接触で充電できることとしてもよい。
設置装置は携帯装置を載置するための台座を更に備えることが望ましい。このとき検出手段は携帯装置が台座上の予め定められた位置に載置されたことを検出し、検出手段による検出に応じて受電手段及び送電手段は蓄電装置を充電することとすれば、単に携帯装置を台座に載置するだけで、充電とプレゼンス情報の通知との両方を実行することができる。
このシステムでの携帯装置の代表的な例は移動通信端末である。尚、この他にも、外部に出力可能な識別子を有し、携帯可能な装置であれば、このシステムの携帯装置として用いることができる。例えば、ＰＤＡ、ノート型コンピュータ、腕時計、ＩＣカード等も携帯装置として用いることができる。
また、本発明は、上述のシステムと同様の特徴を有するプレゼンス情報通知方法、上述のシステムにおけるサーバとしての処理をコンピュータに実行させるコンピュータプログラム、携帯装置とその充電装置からなる充電システム、充電装置、携帯装置を提供する。
尚、設置装置の識別子甲としては、例えばＩＰアドレスを用いることが考えられる。また、例えば携帯装置が携帯電話端末等やＰＨＳ（ｐｅｒｓｏｎａｌ  ｈａｎｄｙｐｈｏｎｅ  ｓｙｓｔｅｍ）端末といった無線電話端末を携帯装置とする場合、その端末の電話番号を識別子乙として用いることが考えられる。
更に、本発明は、予め定められた位置における利用者の有無を示すプレゼンス情報を端末に通知するシステムにおいて、無線データ通信を行う第１の無線データ通信手段、データ通信ネットワークを介してデータ通信を行うデータ通信手段、個々の設置装置を識別するための識別子甲を記憶した記憶装置甲を備える設置装置と、予め定められた位置に設置装置と関連付けて設置されるトリガー装置と、トリガー装置を検出する検出手段、及び、第１の無線データ通信手段と無線データ通信を行う第２の無線データ通信手段を備える携帯装置と、トリガー装置を設置した位置を示す位置情報と、当該位置情報が示す位置に設置されたトリガー装置に関連付けられた設置装置の識別子甲との第１の対応関係を記憶した第１の記憶装置と、データ通信ネットワークを介してデータ通信を行う手段を備えるサーバとを備えるプレゼンス情報通知システムを提供する。このシステムは、携帯装置は、トリガー装置の検出を無線データ通信により設置装置に送信し、トリガー装置の検出を通知された設置装置は、データ通信ネットワークを介して当該設置装置の識別子甲をサーバに送信し、サーバは、第１の対応関係を参照し、受信した識別子甲に対応する位置情報を取得して、端末に通知する。
更に、本発明は、予め定められた位置における利用者の有無を示すプレゼンス情報を端末に通知する方法において、利用者が携帯する携帯装置、設置装置、予め定められた位置に設置装置と関連付けて設置されるトリガー装置、設置装置とデータ通信ネットワークを介して接続されたサーバ、及び、サーバとデータ通信ネットワークを介して接続され、プレゼンス情報をサーバから受信する端末を用いる方法であって、トリガー装置の位置を示す位置情報と、個々の設置装置を識別するために設置装置の記憶装置に予め記憶された識別子甲との対応関係を、サーバに登録する段階１と、携帯装置がトリガー装置を検出する段階２と、トリガー装置の検出を携帯装置から設置装置に通知する段階３と、トリガー装置の検出の通知に応じて、設置装置が識別子甲をサーバに送信する段階４と、登録された対応関係に基づいて、設置装置から受信した識別子甲に対応する位置情報をサーバが取得する段階５と、取得した位置情報をサーバから端末に送信する段階６とを含むことを特徴とするプレゼンス情報通知方法を提供する。
更に、本発明は、予め定められた位置における利用者の有無を示すプレゼンス情報を、データ通信ネットワークを介して端末に通知する処理をコンピュータに実行させるコンピュータプログラムにおいて、設置装置、予め定められた位置に設置装置と関連付けて設置されるトリガー装置、利用者が携帯する装置であって、トリガー装置の検出を設置装置に通知する携帯装置、及び、サーバとデータ通信ネットワークを介して接続され、プレゼンス情報をサーバから受信する端末と連携した処理を、設置装置とデータ通信ネットワークを介して接続されたコンピュータに実行させるプログラムであって、トリガー装置の位置を示す位置情報と、個々の設置装置を識別するために設置装置の記憶装置に予め記憶された識別子甲との対応関係を、サーバに登録する処理と、携帯装置からのトリガー装置の検出通知に応じて、設置装置が送信した識別子甲を受信する処理と、登録された対応関係に基づいて、設置装置から受信した識別子甲に対応する位置情報を取得する処理と、取得した位置情報をデータ通信ネットワークを介して端末に送信する処理とをコンピュータに実行させることを特徴とするコンピュータプログラムを提供する。
【発明の効果】  本発明によれば、その際に利用者に対して特段の操作を要求することなく、携帯装置を検出した設置装置の付近における、携帯装置の利用者の存在を確認することができる。
また、一般に、携帯電話端末は充電装置の台座に載置して充電を行い、携帯電話端末の端部には、充電用の接触端子と、データ入出力用端子が設けられている。そこで、台座に充電用接触端子と共に、対応するデータ入出力用端子を設ける。携帯電話端末と台座の接触端子同士が接触する際に、データ入出力用端子も接触するような充電装置を用いる。このようにすれば、既に利用されている携帯電話端末をほぼそのまま本発明の携帯装置として用いることができる。
また、設置装置の識別子乙と、その設置場所における状態情報とを連動させることで、その設置場所における状態情報の初期値を設定することができる。このため、その設置場所で頻繁にとられる状態情報については、その設置場所で利用者が特段の操作をすることなく通知することができる。
【図面の簡単な説明】  図１は本発明の実施の形態であるプレゼンス情報通知システム１００の機能ブロック図である。
図２はプレゼンス情報通知システム１００の動作を説明するためのフローチャートである。
図３は本発明の実施の形態であるプレゼンス情報通知システム３００の機能ブロック図である。
図４はプレゼンス情報通知システム３００の動作を説明するためのフローチャートである。
図５は本発明の実施例であるプレゼンス情報通知システム５００の機能ブロック図である。
図６はプレゼンス情報の通知画面の例である。
図７は移動端末５１０及び充電装置５２０からなる充電システムの機能ブロック図である。
図８はサーバ５３０の機能ブロック図である。
図９はプレゼンス情報通知システム５００の動作を説明するためのフローチャートである。
図１０はプレゼンス情報通知システム５００の動作を説明するためのフローチャートである。
図１１は移動端末１１１０及び充電装置１１２０からなる充電システムの機能ブロック図である。
図１２は移動端末５１０、充電装置１２１０及びパーソナルコンピュータ１２２０からなる充電システムの機能ブロック図である。
図１３は移動端末１３１０及び充電装置１３２０からなる充電システムの機能ブロック図である。
図１４は本発明の実施例であるプレゼンス情報通知システム１４００の機能ブロック図である。
図１５は移動端末１５１０及び充電装置１５２０からなる充電システムの機能ブロック図である。
図１６は本発明の実施例であるプレゼンス情報通知システム１６００の機能ブロック図である。
図１７は移動端末１７１０、充電装置１７２０及び無線基地局１７３０からなる充電システムの機能ブロック図である。
【発明を実施するための最良の形態】  本発明の実施の形態であるプレゼンス情報通知システム１００について図１及び２を参照して以下に説明する。
互いに異なる複数の位置Ｐ１、Ｐ２、Ｐ３に、固有の設置装置識別子Ｂ１、Ｂ２、Ｂ３を付与した設置装置１１１、１１２、１１３をそれぞれ設置する。設置装置識別子Ｂ１、Ｂ２、Ｂ３と位置情報Ｐ１、Ｐ２、Ｐ３との対応関係を表すテーブルＴ１を、サーバ１２０から参照できる記憶装置に記憶しておく。
今、携帯装置１３０を携帯する利用者が設置装置１１１に近づいたとする。このとき、設置装置１１１は、携帯装置１３０の接近乃至接続を検出（ステップＳ２０１）し、検出に応じてデータ通信ネットワーク１４０を介してサーバ１２０に設置装置識別子Ｂ１を送信する（ステップＳ２０２）。
設置装置識別子Ｂ１を受信したサーバ１２０（ステップＳ２０３）は、テーブルＴ１を参照して対応する位置情報Ｐ１を取得（ステップＳ２０４）し、設置位置Ｐ１におけるプレゼンス情報を更新する（ステップＳ２０５）。プレゼンス情報の更新は、例えば電子メールにて所定の端末１５１、１５２、１５３に通知してもいいし、或いは、位置情報とプレゼンス情報との対応関係を表すテーブルＴ２を作成し、テーブルＴ２をウェブサーバ等により公開して、端末１５１、１５２、１５３からの要求に応じて通知してもいい（ステップＳ２０６、２０７）。
利用者が携帯装置１３０を持って設置装置１１１から離れたときには、同様の手順により設置位置Ｐ１における利用者の不存在が通知される。その後、他の設置装置１１２または１１３に携帯装置１３０が接近乃至接続すれば、該当する設置位置での利用者の存在が通知される。
以上のプレゼンス情報通知システム１００では、設置装置１１１が携帯装置１３０の検出と設置装置識別子Ｂ１の送信を行うが、逆に、携帯装置１３０が設置装置１１１を検出し、設置装置識別子Ｂ１をサーバ１２０に送信する実施の形態が、プレゼンス情報通知システム３００である。
図３にプレゼンス情報通知システム３００を示す。前述のプレゼンス情報通知システム１００と対応する要素については同一の参照符号を付している。前述のシステム１００では、設置装置１１１、１１２及び１１３からサーバ１２０に設置装置識別子を送信したが、本システム３００では、携帯装置１３０からサーバ１２０に送信する点で異なる。このため、本システム３００では、移動通信システムの基地局３１１、３１２、及び、移動通信ネットワーク３２０が明示されている。
図４を参照してプレゼンス情報通知システム３００の動作を説明する。今、携帯装置１３０が設置装置１１１への接近乃至接続を検出する（ステップＳ４０１）と、携帯装置１３０は設置装置１１１に対して設置装置識別子Ｂ１の出力を要求（ステップＳ４０２）、この要求に応じて設置装置１１１は携帯装置１３０に対して設置装置識別子Ｂ１を出力する（ステップＳ４０４）。設置装置識別子Ｂ１を受信（ステップＳ４０５）した携帯装置１３０は、最寄の基地局３１１、移動通信ネットワーク３２０、及び、ネットワーク１４０を介して、サーバ１２０に設置装置識別子Ｂ１を送信する（ステップＳ４０６）。以後の動作は前述のシステム１００と同じなので説明を省略する。
これらプレゼンス情報通知システム１００及び３００によれば、携帯装置１３０が設置装置１１１〜１１３のいずれかに接近乃至設置すると、これに応じて設置装置識別子がサーバ１２０に通知される。サーバ１２０は、通知された設置装置識別子に対応する位置情報をテーブルＴ１から取得し、端末に通知する。これにより、携帯装置の利用者が携帯装置に対して特に操作をしなくても、プレゼンス情報を更新し、設置装置の設置位置における利用者の有無を端末に通知することができる。
また、サーバ１２０側の記憶装置に、個々の携帯装置１３０に付与した携帯装置識別子とその携帯装置１３０の利用者の利用者情報との対応関係を表すテーブルＴ３を予め格納しておき、設置装置識別子をサーバ１２０に送信する際に携帯装置識別子も送信して、対応する利用者情報を取得することとすれば、プレゼンス情報として位置情報と共に利用者情報を端末１５１、１５２、１５３に通知することができる。つまり、誰かがいることだけではなく、誰がいるかを通知することができる。
また、テーブルＴ２に予め状態情報の初期値を登録しておくことにより、状態情報を更新するための利用者による操作を省くことができる。これは、例えば、会議室や実験室等のように、その設置位置にいるときの利用者の状態が特定できる場合に特に有効である。
また、設置装置１１１〜１１３に携帯装置１３０とは独立した識別子を付与したことにより、設置位置にいるのが誰かに関係なく、設置位置にいる者を対象とした呼び出しやメッセージの配信を行うことができる。更に、例えば同じ部屋に設置してある複数の設置装置をグループ化して、グループに属する設置装置付近にいる利用者を対象とした一斉呼び出しやメッセージの一斉配信を行うことができる。ある部署Ａから他部署Ｂに移動した利用者がいるとき、従来、この利用者が部署Ｂの一斉呼び出しを受けるためには、この利用者の所属部署に関するシステムの設定を変更する必要があったが、本発明では、その利用者が自分の携帯装置を持って部署Ｂに移るだけでよい。
携帯装置１３０としては、携帯電話端末、ＰＨＳ端末、ＰＤＡ（ｐｅｒｓｏｎａｌ  ｄａｔａ  ａｓｓｉｓｔａｎｔ）、腕時計のように、利用者が常に携帯して使用する情報処理装置を用いることができる。
設置装置１１１〜１１３としては携帯装置１３０の充電装置が好適な例である。この場合、充電は両装置に設けた端子を互いに接触させて行う接触式であってもよいし、外部から非接触で充電を行う非接触式充電、所謂インダクティブ充電方式でもよい。接触式の場合は、接触端子を介して、携帯装置１３０と設置装置１１１〜１１３の間で行う設置装置識別子、或いは携帯装置識別子の伝送を行うこととしてもよいし、充電用の接触端子とは別にデータ入出力の端子を設けてもよい。或いは、識別子の伝送は、ブルートゥースやＨｏｍｅＲＦ（ｈｏｍｅ  ｒａｄｉｏ  ｆｒｅｑｕｅｎｃｙ）のような無線通信技術を用いて伝送してもよい。
説明の便宜上、携帯装置１３０と端末１５１〜１５３を別の呼称を用いて説明したが、携帯装置と端末は同種の装置であってもよい。つまり、同じ携帯電話端末が、あるときは携帯装置１３０であり、あるときは端末１５１〜１５３のいずれかであってもよい。
【実施例１】  図５を参照して実施例１であるプレゼンス情報通知システム５００について説明する。プレゼンス情報通知システム５００は、移動端末５１０と、充電装置５２１、５２２、５２３、…と、サーバ５３０と、端末５４１、５４２、５４３、…と、ＩＰネットワーク５５０と、移動通信ネットワーク５６０と、基地局５７０からなる。
移動端末５１０は、個々の利用者が携帯して用いる携帯通信端末であり、電話通話機能及び情報処理機能を備え、内蔵する２次電池にて動作する。また、その移動端末自身の電話番号を格納した記憶装置を備え、この記憶装置から電話番号を読み出して外部に出力するためのデータ入出力インターフェイスを備える。移動端末５１０は内蔵の２次電池により動作する。
充電装置５２１、５２２、５２３、…（以下、総称して充電装置５２０と記す）は、移動端末５１０に内蔵の２次電池を充電するため、移動端末５１０に給電する機能を備える。また、ＩＰネットワーク５５０を介してデータ通信を行う機能を備える。更に、移動端末５１０に対して、電話番号の出力を要求すると共に、電話番号を受け取るためのデータ入出力インターフェイスを備える。充電装置５２０は、移動端末５１０に対して給電すると共に、移動端末５１０から電話番号等の情報を取得して、ＩＰネットワーク上のプレゼンスサーバに送信する。
サーバ５３０はＩＰネットワーク５５０に接続されたサーバ装置であり、移動端末５１０や充電装置５２０から受信した情報を処理してプレゼンス情報を生成・更新する。また、端末５４１、５４２、５４３…（以下総称して端末５４０と記す）に対してＩＰネットワーク５５０や移動通信ネットワーク５６０を介してプレゼンス情報を提供する。
端末５４０は、ＩＰネットワーク５５０を介してデータ通信を行う情報処理装置であり、パーソナルコンピュータ、ワークステーション、ＰＤＡ、携帯通信端末等である。尚、同一の装置が、利用者のプレゼンス情報を生成する際には移動端末５１０として機能し、他の利用者のプレゼンス情報を表示するときには端末５４０として機能してもよい。端末５４０は図６のような情報表示画面を表示装置に表示する。
ＩＰネットワーク５５０はＩＰ（Ｉｎｔｅｒｎｅｔ  Ｐｒｏｔｏｃｏｌ）によって接続されたネットワークであり、移動端末５１０、充電装置５２０、サーバ５３０、端末５４０を互いに接続している。尚、端末５４３は更に移動通信ネットワーク５６０、基地局５７０を介してＩＰネットワーク５５０に接続されている。ＩＰネットワーク５５０上のそれぞれの装置には固有のＩＰアドレスが予め付与され、装置間でのデータ通信はＩＰアドレスに基づいて行われる。
移動端末５１０及び充電装置５２０について図７を参照して更に説明する。移動端末５１０は、それ自身の電話番号を記憶する記憶部６１０と、内蔵する２次電池を充電するための電力を外部から受ける受電部６２０と、受電部６２０の導通に応じて記憶部６１０に記憶されている電話番号を充電装置５２０に伝送する制御部６３０とを備える。他方、充電装置５２０は、受電部６２０に電力を供給する送電部６４０と、ＩＰネットワーク５５０を介してデータ通信を行うネットワーク機能部６５０と、その充電装置５２０に対して付与されたＩＰアドレスを記憶する記憶部６６０とを備える。
充電装置５２０は不図示の台座を備え、移動端末５１０を台座上の所定の位置に載置すると、送電部６４０から受電部６２０に電力が供給される。例えば、台座上の所定位置に移動端末５１０を載置したときに互いに接触するような接触端子を、移動端末５１０の端部のうち、載置するときに台座に接触する側の端部に設ける一方、台座の対応する位置にも接触端子を設けて、接触端子を介して電力を供給する。
また、これらの接触端子と同様に、台座上の所定位置に移動端末５１０を載置したときに互いに接触するような接触端子を、移動端末５１０及び充電装置５２０の両方に備える。この端子を介して、記憶部６１０に記憶された電話番号が充電装置５２０に通知される。
移動端末５１０を充電装置５２０の台座の所定位置に載置すると、受電部６２０と送電部６４０とが電気的に接続される。受電部６２０との接続を検出すると、送電部６４０は受電部６２０に対して給電を開始する。受電部６２０の導通を検出すると、制御部６３０は、記憶部６１０から電話番号を読み出して、ネットワーク機能部６５０に通知する。ここでの検知は、充電が満充電になったかどうかの検知ではなく、互いの充電機能部が接続されているかどうかの検知である。記憶部６６０には、ＩＰアドレスなどネットワーク上で各装置を識別する設置装置識別子が記憶されており、ネットワーク機能部６５０は、設置装置識別子を用いてＩＰネットワークを介してサーバ５３０とデータ通信を行うことにより、記憶部６１０に記憶されていた電話番号と、記憶部６６０に記憶されていた設置装置識別子とを、サーバ５３０に通知する。
サーバ５３０について図８を参照して更に説明する。サーバ５３０は、ＩＰネットワークに接続するネットワーク機能部８１０、コンピュータプログラムに従ってデータ処理を行う処理部８２０、並びに、３つのデータベース（以下ＤＢと略記）、充電装置ＩＰアドレスＤＢ８３０、電話番号ＤＢ８４０、及びプレゼンスＤＢ８５０からなる。
充電装置ＩＰアドレスＤＢ８３０は、サーバ５３０が接続されているＩＰネットワーク５５０に接続されている充電装置５２１、５２２、５２３…に関するデータを格納した表１のようなテーブルを管理している。表１の例では、充電装置に付与されているＩＰアドレス、デフォルト設定、座席名、グループ名が格納されている。デフォルト設定は利用者の状態を示す状態情報の初期値を設定する項目である。つまり、その充電装置を設置した位置における状態情報は、利用者等の操作によって明示的に設定される等の更新がなされない限り、デフォルト設定の状態情報がプレゼンス情報の一部として通知される。座席名は充電装置を設置した部署や部屋内部において座席に付与された通し番号である。グループ名は充電装置５２０が所属するグループの名称を示す。充電装置５２０は充電装置を設置してある部屋や部署等によりグループ化してある。表１の充電装置は、Ａ部Ｅ課、Ｂ部Ｃ課、会議室Ａの３グループのいずれかに所属している。座席名とグループ名の組み合わせにより、充電装置５２０が設置された位置の位置情報を示す。
【表１】
2006011628.tif 000002
電話番号ＤＢ８４０は、表２のようなテーブルを管理するデータベースであり、各移動端末５３０の電話番号と、各移動端末５３０の利用者の利用者情報が登録されている。表２の例では利用者情報として利用者の名前のみが登録されている。
【表２】
2006011628.tif 000003
プレゼンスＤＢ８５０は、表３のようなテーブルを管理するデータベースである。このテーブルは、充電装置５２０から送信された識別子、充電装置ＩＰアドレスＤＢ８３０及び電話番号ＤＢ８４０に格納されているテーブルを元に、処理部８２０が生成する。例えば、内線番号１０５−０００１の行は、この電話番号を有する移動端末５３０が、特定の充電装置５２０に載置されておらず、退席中であることを示す。内線番号１０５−０００２の行は、この電話番号を有する移動端末５３０が、会議室Ａ席２、即ち充電装置１ＰアドレスＤＢ８３０のテーブルにあるように、ＩＰアドレス１０．２００．１．１を有する充電装置に載置されていることを示す。状態情報は対応するデフォルト設定に従って会議中となっている。
【表３】
2006011628.tif 000004
処理部８２０は、記憶部６１０及び６５０の識別子を受信すると、表１、表２、表３を参照して、図６のように利用者の利用者情報と位置情報とを関連付けた情報を生成する。
このようなプレゼンス情報通知システム５００の動作について説明する。まずプレゼンス情報の通知動作に先立って、移動端末５１０または端末５４０を使ってＩＰネットワーク５５０を介してサーバ５３０にアクセスして、電話番号ＤＢ８４０に利用者情報（利用者名）携帯装置識別子（電話番号）を登録する。また、プレゼンスの位置情報を利用したい個人あるいはネットワークの管理者は、充電装置５２０のＩＰアドレスと、充電装置５２０を設置した場所の名称等の位置情報をリンクさせて充電装置ＩＰアドレスＤＢ８３０に登録し、併せて、充電装置５２０をグループ別に分類する。更に、必要に応じて、移動端末５１０が充電装置５２０に置かれたときの状態情報の初期値をデフォルト設定として設定する。
以下については図９を参照して説明する。利用者が移動端末５１０を充電装置５２０に載置する（ステップＳ９０１）と、送電部６４０が受電部６２０に電力を供給し、受電部６２０は供給された電力を用いて２次電池の充電を開始する（ステップＳ９０２）。制御部６３０は受電部６２０を常時監視して、送電部６４０と受電部６２０の電気的接続の有無を検出している。接続を検出する（Ｓ９０３）と、制御部６３０は記憶部６１０から電話番号を読み出し、データ入出力インターフェイスを介してネットワーク機能部６５０に送信する（ステップＳ９０４〜９０５）。移動端末５１０から電話番号を取得した充電装置５２０は、ＩＰネットワーク５５０を介して、その電話番号と、記憶部６６０に記憶されている充電装置５２０のＩＰアドレスとをサーバ５３０に送信し、プレゼンス情報更新の登録要求を行う（ステップＳ９０６）。
充電装置５２０から、充電装置のＩＰアドレス、移動端末５１０の電話番号、プレゼンス情報変更の登録要求を受信（ステップＳ９０７）したサーバ５３０は、プレゼンスＤＢ８５０にアクセスし、受信した電話番号を検索する（ステップＳ９０８）。
検索された電話番号のプレゼンス情報内に、その移動端末を載置した充電装置５２０のＩＰアドレスを追加することによって、表１のテーブルにてＩＰアドレスで指定される座席に「在席中」というプレゼンス情報の作成を行う（ステップＳ９０９）。ここで作成されるプレゼンス情報に含まれる状態情報は、その充電装置５２０の管理者が、事前に表１のテーブルに設定したデフォルト設定に従う。例えば会議室ではプレゼンス情報を「会議中」にデフォルト設定することによって、その場所の充電装置に設置された移動端末は、利用者の設定なしに自動的にプレゼンス情報は会議中となる。また、時間帯ごとにデフォルト設定が変わるようにしてもよい、例えば自宅に充電装置を設置して、深夜から朝の時間帯に設置した場合は「睡眠中」、その他時間帯は「暇」などする。
サーバ５３０は、プレゼンス情報更新を端末５４０に送信する（ステップＳ９１０）。端末５４０は移動端末５１０と同様に無線通信端末であってもよい。これにより、登録されている端末は、プレゼンス情報の更新をリアルタイムに知ることができる（ステップＳ９１１、Ｓ９１２）。尚、ステップＳ９１０では、プレゼンス情報の更新をトリガーとして所定の端末５４０にプレゼンス情報の更新を送信しているが、その代わりに、或いはそれと同時に、ウェブサーバ上で公開して端末５４０からの閲覧要求に応じて最新のプレゼンス情報を送信することとしてもよい。
次に、同じくプレゼンス情報通知システム５００にて、状態情報を「在席中」から「退席中」に更新するときの動作について図１０を参照して説明する。
移動端末と充電装置の開放をトリガーとして「退席中」のプレゼンス情報に更新する方法は図１０のフローチャートの動作に従う。
移動端末５１０を充電装置５２０から取り外す（ステップＳ１００１）と、受電部６２０と送電部６４０の間の電気的接続が開放される（ステップＳ１００２）と共に、制御部６３０とネットワーク機能部６５０の間の接続が開放される。制御部６３０との接続の開放を検出する（ステップＳ１００３）と、ネットワーク機能部６５０は、記憶部６６０に格納されているＩＰアドレスを用いてサーバ５３０にアクセスし、プレゼンス情報の変更要求を送信する（ステップＳ１００４）。サーバ５３０はその変更要求を受信する（ステップＳ１００５）と、プレゼンスＤＢへアクセスを行い、ＩＰアドレスをキーとして要求が来ている利用者を検索（ステップＳ１００５）し、該当する利用者のプレゼンス情報内の充電装置ＩＰアドレスを表３のテーブルから削除する（ステップＳ１００６）。これにより例えば状態情報が「退席中」であるプレゼンス情報を作成する。
しかしながら、一般に、移動端末５１０を用いた電話通話の際にも充電装置５２０から取り外すことになるため、通話中においては、移動通信システムの従来のプレゼンス機能を利用して「通話中」とプレゼンス表示させることが考えられる。或いは、タイマーをセットして取り外しからの経過時間を計測し、経過時間が一定時間内の間は「一時取込中」などの別表記とし、一定時間を越えた場合、「退席中」にすることとしてもよい。
以下、ステップＳ１００８〜Ｓ１０１０は、前述のステップＳ９１０〜Ｓ９１２と同様である。
【実施例２】  図１１を参照して実施例２について説明する。実施例１では図７の移動端末５１０及び充電装置５２０を用いるが、実施例２ではその代わりに移動端末１１１０及び充電装置１１２０を用いる。
実施例１では、記憶部６１０に記憶されている電話番号は、受電部６２０及び送電部６４０の間の電力供給用の接触端子を介して、或いは、電力供給用端子とは別に設けられたデータ入出力用の接触端子を介して充電装置５２０に送信された。これら接触端子は移動端末５１０を充電装置５２０に載置したときの接触部分に設けられる。
これに対して、実施例２では、移動端末１１１０及び充電装置１１２０の接触部分には電力供給用の接触端子のみが設けられる。電話番号を伝送するためのデータ入出力用端子は設けられず、代わりに、無線デバイス処理部１１１１及び１１２１がそれぞれ移動端末１１１０及び充電装置１１２０に設けられる。無線デバイス処理部１１１１及び１１２１は、例えばＢｌｕｅｔｏｏｔｈ、ＨｏｍｅＲＦ（Ｈｏｍｅ  Ｒａｄｉｏ  Ｆｒｅｑｕｅｎｃｙ）、ＩｒＤＡ（Ｉｎｆｒａｒｅｄ  Ｄａｔａ  Ａｓｓｏｃｉａｔｉｏｎ）、ＲＦ−ＩＤ、ＩＥＥＥ８０２．１１に規定される無線ＬＡＮ、ＵＷＢ（Ｕｌｔｒａ  Ｗｉｄｅ  Ｂａｎｄ）、ＰＨＳ（Ｐｅｒｓｏｎａｌ  Ｈａｎｄｙｐｈｏｎｅ  Ｓｙｓｔｅｍ）、ＰＤＣ（Ｐｅｒｓｏｎａｌ  Ｄｉｇｉｔａｌ  Ｃｅｌｌｕｌａｒ）、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＣＤＭＡ（Ｃｏｄｅ  Ｄｉｖｉｓｉｏｎ  Ｍｕｌｔｉｐｌｅ  Ａｃｃｅｓｓ）、Ｗ−ＣＤＭＡ（Ｗｉｄｅｂａｎｄ  ＣＤＭＡ）、ＣＤＭＡ２０００、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）といった無線通信技術により互いに無線データ通信を行う。本実施例では無線デバイス処理部１１２１が充電装置１１２０に設けられるため、これら無線通信技術のうち、Ｂｌｕｅｔｏｏｔｈ、ＩｒＤＡ、ＲＦ−ＩＤのような、通信距離が約１ｍ程度の短距離無線通信技術が特に適している。
つまり、移動端末１１１０から充電装置１１２０に電話番号を伝送する際の経路が異なる。その他の点については実施例１と同様である。
【実施例３】  図１２を参照して実施例３について説明する。実施例１では、図７の充電装置５２０を用いるが、実施例３ではその代わりに、充電装置１２１０及びパーソナルコンピュータ１２２０を用いる。移動端末５１０は実施例１と同じである。
充電装置１２１０は記憶部６６０を備えない。また、ネットワーク機能部６５０の代わりに接続機能部１２１１を備える。接続機能部１２１１は、制御部６３０から受信した電話番号をパーソナルコンピュータ１２２０に送信する。パーソナルコンピュータ１２２０は、受信した電話番号と記憶部６６０に記憶されたＩＰアドレスを、ＩＰネットワーク５５０を介してサーバ５３０に送信する。
【実施例４】  図１３を参照して実施例４について説明する。実施例４では、実施例１の移動端末５１０及び充電装置５２０の代わりに、移動端末１３１０及び充電装置１３２０を用いる。
移動端末１３１０は充電装置１３２０に電話番号を出力しない。充電装置１３２０では、送電部６４０の導通検出に応じて、ネットワーク機能部６５０は、記憶部６６０に記憶されたＩＰアドレスのみをＩＰネットワーク５５０を介してサーバ５３０に送信する。
本実施例では、充電装置１３２０付近にいる者の利用者情報を通知することはできないが、その付近に誰かがいることは通知することができるので、例えば空席の有無と空席の位置をプレゼンス情報として通知することができる。
【実施例５】  図１４を参照して実施例５のプレゼンス情報通知システム１４００について説明する。実施例１〜４は、プレゼンス情報通知システム１００に対応し、充電装置がＩＰネットワークを介してＩＰアドレス、即ち充電装置の識別子をサーバに送信するが、実施例５は、プレゼンス情報通知システム３００に対応し、移動端末１５１０がＩＰネットワーク５５０を介して充電装置１５２０の識別子をサーバ５３０に送信する。
図１５を参照して移動端末１５１０及び充電装置１５２０について更に説明する。移動端末１５１０は、前述の記憶部６１０、受電部６２０の他に、移動通信機能部１５１１を備える。移動通信機能部１５１１は、受電部６２０での受電の有無を監視し、受電が開始されると、受電部６２０及び送電部６３０の接触端子、或いは別途設けられたデータ入出力用の接触端子を介して、記憶部６６０に記憶されている充電装置１５２０の識別子を取得する。そして、取得した充電装置１５２０の識別子と、記憶部６１０に記憶されている移動端末１５１０自身の電話番号とを、基地局５７０、移動通信ネットワーク５６０、ＩＰネットワーク５５０を介してサーバ５３０に通知する。
【実施例６】  実施例１乃至５では、プレゼンス情報に含まれる位置情報は、表１に見られるように、部屋名・所属部署名と、それぞれの場所で座席に付与される通し番号との組み合わせであった。これに対して、実施例６では、位置情報として経緯度を用いた表４のようなテーブルを表１の代わりに充電装置ＩＰアドレスＤＢ８３０にて管理する。図１６に示すように、互いに離れた地に設置された充電装置１６１１、１６１２、１６１３、…（以下総称して充電装置１６１０と記す）の経緯度を予め計測して、その測定値を記憶部６５０に予め記憶させておくと共に、充電装置ＩＰアドレスＤＢ８３０に予め登録する。
【表４】
2006011628.tif 000005
本実施例では、例えば移動端末がＧＰＳ機能を備え、ＧＰＳによる測位値を用いてプレゼンス情報を生成・更新する場合、ＧＰＳ機能で得られる経緯度と、充電装置１６１０に接続して得られる経緯度による位置情報とを組み合わせることが考えられる。これにより、室内や地下等のＧＰＳによる測位が不可能な場所であってもプレゼンス情報を更新することができる。
【実施例７】  図１７を参照して実施例７について説明する。本実施例は実施例１〜４と同様にプレゼンス情報通知システム１００に対応する。本実施例では、実施例１の移動端末５１０及び充電装置５２０の代わりに、移動端末１７１０、充電装置１７２０、及び、無線基地局１７３０を用いる。
移動端末１７１０及び無線基地局１７３０は無線デバイス処理部１１１１及び１１２１をそれぞれ備える。これらは実施例２と同様に、Ｂｌｕｅｔｏｏｔｈ、ＨｏｍｅＲＦ、ＩｒＤＡ、ＲＦ−ＩＤ、無線ＬＡＮといった無線通信技術により互いに無線データ通信を行う。本実施例では無線デバイス処理部１１２１が充電装置１７２０から離れて設けられるため、これら無線通信技術のうち、無線ＬＡＮやＨｏｍｅＲＦのように１ｍ以上の通信距離を有する無線通信技術が特に適している。また、無線基地局１７３０は更にネットワーク機能部６５０及び記憶部６６０を備える。充電装置１７２０は充電のみを行う一般的な充電装置である。
移動端末１７１０を充電装置１７２０に載置すると、送電部６４０から受電部６２０に電力が供給されて充電が行われる。受電部６２０の導通を検出した制御部６３０は、記憶部６１０から電話番号を読み出して、無線デバイス処理部１１１１を用いて無線基地局１７３０に送信する。
無線デバイス処理部１１２１が電話番号を受信すると、ネットワーク機能部６５０は記憶部６６０から、予め記憶された設置装置識別子を読み出して、受信した電話番号と共にＩＰネットワーク５５０を介してサーバ５３０に送信する。
以上、本発明を実施の形態に基づいて説明したが、本発明はこれに限定されるものではなく、当業者の通常の知識の範囲内でその変更や改良が可能であることは勿論である。
例えば、当業者であれば、無線端末を利用した構内交換システムに本発明を適用することができることが容易に理解できるであろう。
また、送電部６４０及び受電部６２０を上述の充電装置から省略して充電機能を取り除いたとしても、プレゼンス情報の通知を行うことができることは当業者には明らかだろう。
【図１】
2006011628.tif 000006
【図２】
2006011628.tif 000007
【図３】
2006011628.tif 000008
【図４】
2006011628.tif 000009
【図５】
2006011628.tif 000010
【図６】
2006011628.tif 000011
【図７】
2006011628.tif 000012
【図８】
2006011628.tif 000013
【図９】
2006011628.tif 000014
【図１０】
2006011628.tif 000015
【図１１】
2006011628.tif 000016
【図１２】
2006011628.tif 000017
【図１３】
2006011628.tif 000018
【図１４】
2006011628.tif 000019
【図１５】
2006011628.tif 000020
【図１６】
2006011628.tif 000021
【図１７】
2006011628.tif 000022
【手続補正書】
【提出日】平成18年5月24日(2006.5.24)
【手続補正１】
【補正対象書類名】明細書
【補正対象項目名】００２３
【補正方法】変更
【補正の内容】
【００２３】
席の有無と空席の位置をプレゼンス情報として通知することができる。
［実施例５］
図１４を参照して実施例５のプレゼンス情報通知システム１４００について説明する。実施例１〜４は、プレゼンス情報通知システム１００に対応し、充電装置がＩＰネットワークを介してＩＰアドレス、即ち充電装置の識別子をサーバに送信するが、実施例５は、プレゼンス情報通知システム３００に対応し、移動端末１５１０がＩＰネットワーク５５０を介して充電装置１５２０の識別子をサーバ５３０に送信する。
図１５を参照して移動端末１５１０及び充電装置１５２０について更に説明する。移動端末１５１０は、前述の記憶部６１０、受電部６２０の他に、移動通信機能部１５１１を備える。移動通信機能部１５１１は、受電部６２０での受電の有無を監視し、受電が開始されると、受電部６２０及び送電部６３０の接触端子、或いは別途設けられたデータ入出力用の接触端子を介して、記憶部６６０に記憶されている充電装置１５２０の識別子を取得する。そして、取得した充電装置１５２０の識別子と、記憶部６１０に記憶されている移動端末１５１０自身の電話番号とを、基地局５７０、移動通信ネットワーク５６０、ＩＰネットワーク５５０を介してサーバ５３０に通知する。ここで、移動端末１５１０が充電装置１５２０内記憶部６６０に保存されている識別情報を取得する際、ＲＦ−ＩＤ等の短距離無線通信を用いてもよい。
［実施例６］
実施例１乃至５では、プレゼンス情報に含まれる位置情報は、表１に見られるように、部屋名・所属部署名と、それぞれの場所で座席に付与される通し番号との組み合わせであった。これに対して、実施例６では、位置情報として経緯度を用いた表４のようなテーブルを表１の代わりに充電装置ＩＰアドレスＤＢ８３０にて管理する。図１６に示すように、互いに離れた地に設置された充電装置１６１１、１６１２、１６１３、…（以下総称して充電装置１６１０と記す）の経緯度を予め計測して、その測定値を記憶部６５０に予め記憶させておくと共に、充電装置ＩＰアドレスＤＢ８３０に予め登録する。
【国際調査報告】
2006011628.tif 000023
2006011628.tif 000024
2006011628.tif 000025
2006011628.tif 000026